(57)【要約】    【課題】車用ＡＶ衛星ナビゲーション・システム内部の画面または外部から入力された画面を表示するように切り替える。    【解決手段】車用ＡＶ衛星ナビゲーション・システムの変換インターフェースは、車用ＡＶ衛星ナビゲーション・システムと外接式衛星ナビゲーション装置との間に接続され、変換インターフェースが一つの映像変換装置と一つの映像制御装置とを含み、映像変換装置は、外接式衛星ナビゲーション装置の入力した画面データを車用ＡＶ衛星ナビゲーション・システムの表示できる画面フォーマットに合致するように変換し、そして映像制御装置は、車用ＡＶ衛星ナビゲーション・システムの押しボタン・メッセージをデコードすることにより、車用ＡＶ衛星ナビゲーション・システムがその内部の画面データまたは外接式衛星ナビゲーション装置の出力した画面データから表示パネルへ出力することを決める。【選択図】図２
0003113588.tif 000002
【実用新案登録請求の範囲】
【請求項１】
車用ＡＶ衛星ナビゲーション・システム内部の第１の画面データと当該車用ＡＶ衛星ナビゲーション・システム外部から入力される第２の画面データを表示するように切替自在である車用ＡＶ衛星ナビゲーション・システムの変換インターフェースであって、
当該第２の画面データを当該車用ＡＶ衛星ナビゲーション・システムの表示できる画面フォーマットに合致するように変換する映像変換装置と、
当該映像変換装置と電気的に接続し、当該車用ＡＶ衛星ナビゲーション・システムの押しボタン・メッセージをデコードすることにより、当該車用ＡＶ衛星ナビゲーション・システムが当該第１の画面データまたは当該第２の画面データから表示画面を出力することを決める映像制御装置と
を含むことを特徴とする車用ＡＶ衛星ナビゲーション・システムの変換インターフェース。
【請求項２】
当該映像変換装置は、
当該第２の画面データを受信する映像信号入力インターフェースと、
当該映像信号入力インターフェースと電気的に接続し、当該第２の画面データに対し映像フォーマット変換を実行する映像処理・ユニットと
を含むことを特徴とする請求項１記載の車用ＡＶ衛星ナビゲーション・システムの変換インターフェース。
【請求項３】
ＯＳＤ発生ユニットを更に含み、当該映像処理・ユニットと電気的に接続することにより、ＯＳＤメッセージ画面を表示し、当該映像処理・ユニットに出力する画面であることを特徴とする請求項２記載の車用ＡＶ衛星ナビゲーション・システムの変換インターフェース。
【請求項４】
当該映像制御装置は、
当該車用ＡＶ衛星ナビゲーション・システムの押しボタン・メッセージを受信する押しボタン信号入力インターフェースと、
当該車用ＡＶ衛星ナビゲーション・システム内部の当該第１の画面データを受信し、且つ当該映像変換装置から出力された画面を受信する画面入力インターフェースと、
当該押しボタン信号入力インターフェースと電気的に接続し、当該押しボタン・メッセージをデコードするデコード・ユニットと、
当該デコード・ユニットと電気的に接続し、当該押しボタン・メッセージのデコードされた結果に基づいて当該画面入力インターフェースの受け入れた画面うちの一つを表示し且つ当該車用ＡＶ衛星ナビゲーション・システムの表示パネルへ出力するように切り替える画面切替ユニットと
を含むことを特徴とする請求項１記載の車用ＡＶ衛星ナビゲーション・システムの変換インターフェース。
【請求項５】
車用ＡＶ衛星ナビゲーション・システムの変換インターフェースであって、
当該変換インターフェースが、当該車用ＡＶ衛星ナビゲーション装置と外接式衛星ナビゲーション装置との間に電気的に接続され、当該車用ＡＶ衛星ナビゲーション・システムが、一つの制御ホストコンピュータ、一つのコントロール・パネル、一つの衛星ナビゲーション装置、一つのＡＶ再生装置、及び一つの表示パネルからなり、
当該変換インターフェースは、
当該外接式衛星ナビゲーション装置と電気的に接続し、映像フォーマットの変換を提供することにより、当該外接式衛星ナビゲーション装置の出力画面を当該車用ＡＶ衛星ナビゲーション・システムの表示できる画面フォーマットに合致させる映像変換装置と、
当該コントロール・パネルの押しボタン・メッセージをデコードすることにより、当該制御ホストコンピュータと当該映像変換装置のそれぞれが出力されるうちの一つ画面を選択し当該表示パネルに出力する映像制御装置と
を含むことを特徴とする車用ＡＶ衛星ナビゲーション・システムの変換インターフェース。
【請求項６】
当該映像変換装置は、
当該外接式衛星ナビゲーション装置の出力画面を受信する映像信号入力インターフェースと、
当該映像信号入力インターフェースと電気的に接続し、当該外接式衛星ナビゲーション装置の出力画面に対し映像フォーマットの変換を実行する映像処理・ユニットと
を含むことを特徴とする請求項５記載の車用ＡＶ衛星ナビゲーション・システムの変換インターフェース。
【請求項７】
ＯＳＤ発生ユニットを更に含み、当該映像処理・ユニットに電気的に接続され、ＯＳＤメッセージ画面を当該映像処理・ユニットから出力された画面に表示することを特徴とする請求項６記載の車用ＡＶ衛星ナビゲーション・システムの変換インターフェース。
【請求項８】
当該映像制御装置は、
当該コントロール・パネルの押しボタン・メッセージを受信する押しボタン信号入力インターフェースと、
当該制御ホストコンピュータ及び当該映像変換装置の出力画面を受信する画面入力インターフェースと、
当該押しボタン信号入力インターフェースと電気的に接続し、当該押しボタン・メッセージをデコードするデコード・ユニットと、
当該デコード・ユニットと電気的に接続し、当該押しボタン・メッセージのデコードの結果により、当該画面入力インターフェースの受信されたうちの一つ画面を表示するように切替え、当該表示パネルへ出力する画面切替ユニットと
を含むことを特徴とする請求項５記載の車用ＡＶ衛星ナビゲーション・システムの変換インターフェース。
【考案の詳細な説明】
【技術分野】
【０００１】
本考案は、車用ＡＶ（オーディオ・ビデオ）衛星ナビゲーション・システムの変換インターフェースに関し、特に車用ＡＶ衛星ナビゲーション・システム内部の画面または外部から入力された画面を表示するように切り替えることができる変換インターフェースを指す。
【背景技術】
【０００２】
現在の自動車の発展において、車自身の操縦性能の向上が強調される以外は、車内装備から運転者に提供できる高度な楽しい多機能需要も次第に重視されている。そして車用ＡＶ衛星ナビゲーション・システムについて、即ち衛星道路状況ナビゲーション及びＡＶコントロールを整合（統合）してなるマルチメディア・ＡＶ放送プラットフォームが強調される。そして、この車用ＡＶ衛星ナビゲーション・システムも常に外国から輸入された高級車種に装備することが見られる。
【０００３】
図１を参照すると、これは、従来の車用ＡＶ衛星ナビゲーション・システムを外接式衛星ナビゲーション装置で拡充するブロック模式図である。まず、車用ＡＶ衛星ナビゲーション・システム７は、主として制御ホストコンピュータ７１、コントロール・パネル７３、衛星ナビゲーション装置７５、ＡＶ放送（再生）装置７７および表示パネル７９からなることが分かる。車両の製造過程において、常に当地市場の需要を設計の要点とするため、車両出荷時において車用ＡＶ衛星ナビゲーション・システム７は、即ち現地の地図データを結合してＡＶナビゲーション装置７５の中に内蔵することにより、衛星道路状況ナビゲーション操作を提供する。
【０００４】
しかし前述の仕方は、いつも他の地区市場の需要を無視し、まだ相対的に他国の市場の地図データを内蔵せず、いつもこのような車用ＡＶ衛星ナビゲーション・システムを装備する車両が、地図データに合致する所在地において衛星ナビゲーション操作のみを正常に使用するように提供できることを引き起こすが、このような現象も常に市場における外国から輸入された高級車種に現れる。
【０００５】
従って、このような存在する問題を解決するために、既存の仕方は余計に追加された装備で、再び図１に示すように、車用ＡＶ衛星ナビゲーション・システム７の入力インターフェース８１に一つのチューナー(TV Tuner)８３を外接し、例えば欧米国テレビ受入れ方式がＰＡＬシステムを採用するが、アジアの国がＮＴＳＣシステムを使用することが多く、このチューナー８３の作用はＰＡＬとＮＴＳＣとの間の映像フォーマット変換を提供し、且つチューナー８３の信号のソースが一つの外接式衛星ナビゲーション装置８５からであるが、この外接式衛星ナビゲーション装置８５が即ち車両における目前の所在地の地図データ及び衛星道路状況ナビゲーション操作を提供できる。
【０００６】
明らかに、チューナー８３を介して外接式衛星ナビゲーション装置８５から当地の衛星道路状況ナビゲーション操作を提供するのは、車用ＡＶ衛星ナビゲーション・システムにまだ当地の地図データを内蔵していないことを解決する好ましい方式である。しかし、このような方式は、外掛けの方式にて直接的に衛星道路状況ナビゲーション操作の画面を車用ＡＶ衛星ナビゲーション・システム７へ表示するように出力するが、車用ＡＶ衛星ナビゲーション・システム７が元からナビゲーション操作と音響の放送を同時に共存する完備の機能を提供するのとは互換性がないものである。言い換えれば、衛星ナビゲーション機能を操作する時に音楽の放送を聴くことができず、冗長な運転する過程において音楽の調節が不足すれば、運転がより詰まらなく味気なくなる。
【考案の開示】
【考案が解決しようとする課題】
【０００７】
本考案の主要な目的は、車用ＡＶ衛星ナビゲーション・システムの変換インターフェースを提供することにあり、ナビゲーションが出来ると同時に、音楽を聴くことも出来る。
【課題を解決するための手段】
【０００８】
前述の目的を達成するために、本考案は、車用ＡＶ衛星ナビゲーション・システムの変換インターフェースを提供し、車用ＡＶ衛星ナビゲーション・システムの変換インターフェースは、車用ＡＶ衛星ナビゲーション・システム内部の第１の画面データと車用ＡＶ衛星ナビゲーション・システム外部から入力される第２の画面データを表示するように切替自在であるが、第２の画面データを車用ＡＶ衛星ナビゲーション・システムの表示できる画面フォーマットに合致するように変換する映像変換装置と、映像変換装置と電気的に接続し車用ＡＶ衛星ナビゲーション・システムの押しボタン・メッセージをデコードすることにより車用ＡＶ衛星ナビゲーション・システムが第１の画面データまたは第２の画面データから表示画面を出力することを決める映像制御装置とを含む。
【０００９】
前述の目的を達成するために、本考案は、車用ＡＶ衛星ナビゲーション・システムの変換インターフェースを提供し、変換インターフェースが車用ＡＶ衛星ナビゲーション装置と一つの外接式衛星ナビゲーション装置との間に電気的に接続され、車用ＡＶ衛星ナビゲーション・システムが一つの制御ホストコンピュータ、一つのコントロール・パネル、一つの衛星ナビゲーション装置、一つのＡＶ放送（再生）装置、及び一つの表示パネルからなり、変換インターフェースは、外接式衛星ナビゲーション装置と電気的に接続し映像フォーマット変換を提供することにより外接式衛星ナビゲーション装置が画面を車用ＡＶ衛星ナビゲーション・システムの表示できる画面フォーマットに合致するように出力する映像変換装置と、コントロール・パネルの押しボタン・メッセージをデコードすることにより制御ホストコンピュータと映像変換装置の個別に出力した画面うちの一つを表示パネルへ選択する映像制御装置とを含む。
【００１０】
本考案の特徴および技術内容は、以下の本考案に関する詳細な説明と添付の図面を参照するが、添付の図面が参考と説明用にだけ供し、本考案をより限定するように用いられるものではない。
【考案を実施するための最良の形態】
【００１１】
図２を参照すると、これは、本考案の車用ＡＶ衛星ナビゲーション・システムの変換インターフェースが外接式衛星ナビゲーション装置を拡充するブロック模式図である。変換インターフェース１が車用ＡＶ衛星ナビゲーション・システム２と外接式衛星ナビゲーション装置３１との間に接続され、且つ変換インターフェース１が車用ＡＶ衛星ナビゲーション・システム２の内部に設けられるように整合（統合）し、車用ＡＶ衛星ナビゲーション・システム２の操作とは互換性を持たせることが出来る。本考案は、主として車用ＡＶ衛星ナビゲーション・システム２が衛星ナビゲーションと音響放送の操作を同時に提供できるが、ここにいう衛星ナビゲーションが外接式装置により達成され、主として車用ＡＶ衛星ナビゲーション・システム２が現地の地図データを内蔵していない時に発生する。
【００１２】
そして図２中の車用ＡＶ衛星ナビゲーション・システム２は、主として各項の操作を提供する制御ホストコンピュータ２１、押しボタンの押え付けを提供するコントロール・パネル２３、道路状況のナビゲーションを提供する衛星ナビゲーション装置２５、音響とビデオの放送（再生）を提供するＡＶ放送（再生）装置２７、及び画面の出力を提供する表示パネル２９を含む。
【００１３】
本考案の変換インターフェース１は、一つの映像制御装置１０と一つの映像変換装置１１から構成される。映像制御装置１０は、コントロール・パネル２３と制御ホストコンピュータ２１の出力端に電気的に接続し、且つ一つの押しボタンのメッセージＳ１と一つの第１の画面データＶ１をそれぞれ取得するが、この第１の画面データＶ１は、車用ＡＶ衛星ナビゲーション・システム２の内部から発生され、コントロール・パネル２３の押しボタンの押え付けに対応して表示される画面データ、例えば音響を聞き取る時における操作画面、システム・スタンドバイの画面またはビデオ放送の画面である。
【００１４】
一方、外接式衛星ナビゲーション装置３１は、映像変換装置１１に電気的に接続し、映像変換装置１１が外接式衛星ナビゲーション装置３１から出力された第２の画面データＶ２を受け入れ、且つ第２の画面データＶ２に対し画像フォーマットを第２の画面データＶ３に変換するように提供することにより、車用ＡＶ衛星ナビゲーション・システム２の表示できる画像フォーマットに合致させる。
【００１５】
そして本考案中における映像制御装置１０は、第４の画面データＶ４を表示パネル２９へ出力し、そしてこの第４の画面データＶ４が押しボタンのメッセージＳ１の内容に基づいて第１の画面データＶ１または第３の画面データＶ３を表示パネル２９へ出力し表示できるように決め、即ち第４の画面データＶ４が第１の画面データＶ１と第３の画面データＶ３うちの一つである。
【００１６】
図３を参照し、映像制御装置１０中の押しボタン信号入力インターフェース１０７は、コントロール・パネル２３から出力された押しボタンのメッセージＳ１を受け入れ、且つ押しボタン信号入力インターフェース１０７の出力端に電気的に接続されたデコード・ユニット１０５から押しボタンのメッセージＳ１にデコードを提供することにより、押しボタン・デコード・メッセージＳ２を一つ得る。そして画面（映像）入力インターフェース１０１は、第１の画面データＶ１と第３の画面データＶ３を受け入れ、且つ画面切替ユニット１０３より押しボタン・デコード・メッセージＳ２に基づいて第１の画面データＶ１と第３の画面データＶ３うちの一つを表示パネル２９へ出力するように選択する。
【００１７】
図４を参照し、映像変換装置１１中の映像信号入力インターフェース１１３は、第２の画面データＶ２を受け入れ、且つ当該映像信号入力インターフェース１１３の出力端に電気的に接続された映像処理・ユニット１１１から映像フォーマット変換（例えばＰＡＬをＮＴＳＣに変換してなる）を提供することにより、前述の第３の画面データＶ３の出力を得る。そして映像変換装置１１中のＯＳＤ発生ユニット１１５は、デコード・ユニット１０５から出力された押しボタン・デコード・メッセージＳ２を受け入れ、且つ押しボタン・デコード・メッセージＳ２の内容に基づいて、ＯＳＤメッセージ画面を映像処理・ユニット１１１へ出力するかどうか判断することにより、当該映像処理・ユニット１１１の出力する第３の画面データＶ３がＯＳＤメッセージ画面を含んでなる。
【００１８】
そして以上の説明より、本考案の変換インターフェース１は、主としてまずコントロール・パネル２３から出力された押しボタン・メッセージＳ１を判断することにより、さらに第１の画面データＶ１または第３の画面データＶ３（即ち第２の画面データＶ２が映像フォーマット変換を通る）を表示パネル２９へ出力できるように決める。例として、車用ＡＶ衛星ナビゲーション・システム１が外接式衛星ナビゲーション装置３１から道路状況ナビゲーションを提供する時に、もし音楽をも同時に聴きたくなったら、コントロール・パネル２３から音楽の放送を実行できるが、音楽を放送する時に、画面の出力を提供する必要がないため、本考案の変換インターフェース１は、コントロール・パネル２３の押しボタン・メッセージＳ１が音楽放送に代表される動作であることを判断すれば、第３の画面データＶ３を表示パネル２９へ出力し表示するように選択し、そしてここでの第３の画面データＶ３が道路状況ナビゲーションの画面で、一方、音楽の放送が制御ホストコンピュータ２１によりＡＶ放送装置２７を制御し音楽を出力し、これによると、道路状況ナビゲーションと同時に音楽を聴ける。
【００１９】
そして前述状況下で、逆に、もしコントロール・パネル２３が映像の放送を実行する時になったら、本考案の変換インターフェース１は、コントロール・パネル２３の押しボタン・メッセージＳ１が映像放送に代表される動作であることを判断すれば、表示パネル２９の画面表示を第３の画面データＶ３から第１の画面データＶ１に切り替え、そして車用ＡＶ衛星ナビゲーション・システム２の内部から画面表示を提供する。
【００２０】
上記を総合すると、本考案は、確かに車用ＡＶ衛星ナビゲーション・システム２にまだ当地の地図データを内蔵していない時に、外接式衛星ナビゲーション装置３１により、当地の地図データを提供しナビゲーションし、道路状況のナビゲーションと音楽の放送を同時に共存する操作の機能を達成できる。
【００２１】
なお、以上の記載は本考案の最も好ましい具体的な実施例における詳細な説明と図面のみであり、本考案の実用新案登録請求の範囲の精神とその類似変化に合致する実施例が皆本考案の範疇内に含まれるべきで、いかなる当該技術をよく分かる者でも、本考案の領域内において、簡便に思い付くことが出来る変化または仕上げがいずれも本願の実用新案登録請求の範囲にまとめることができる。
【図面の簡単な説明】
【００２２】
【図１】従来の車用ＡＶ衛星ナビゲーション・システムを外接式衛星ナビゲーション装置で拡充するブロック模式図である。
【図２】本考案の車用ＡＶ衛星ナビゲーション・システムの変換インターフェースが外接式衛星ナビゲーション装置を拡充するブロック模式図である。
【図３】本考案の変換インターフェースにおける映像制御装置のブロック模式図である。
【図４】本考案の変換インターフェースにおける映像変換装置のブロック模式図である。
【符号の説明】
【００２３】
１  変換インターフェース
２  車用ＡＶ衛星ナビゲーション・システム
１０  映像制御装置
１１  映像変換装置
２１  制御ホストコンピュータ
２３  コントロール・パネル
２５  衛星ナビゲーション装置
２７  ＡＶ放送装置
２９  表示パネル
３１  外接式衛星ナビゲーション装置
１０１  映像入力インターフェース
１０３  画面切替ユニット
１０５  デコード・ユニット
１０７  押しボタン信号入力インターフェース
１１１  映像処理・ユニット
１１３  映像信号入力インターフェース
１１５  ＯＳＤ発生ユニット
【図１】
0003113588.tif 000003
【図２】
0003113588.tif 000004
【図３】
0003113588.tif 000005
【図４】
0003113588.tif 000006